(57)【要約】 【課題】   特許調査での公報査読閲覧作業においては、関連公報ファイルとサーチレポート等の複数画面を表示しながらの作業となる。かかる場合に解析編集画面が複数あり、画面を幾つも捲ることになり作業が煩雑となる。かかる公報編集を一画面で作業できるようにして迅速、正確な特許調査を目的とする。【解決手段】   本発明の特許公報の解析編集方法、解析編集プログラム及びその媒体は、データベースよりダウンロードした公報を記憶する記憶手段と、インデックス情報、全文データにリンクを張るリンク手段と、書誌事項、テキスト本文、図面、分類付与欄を一画面に分割表示する画面表示手段と、分類付与手段と、検索手段とを備え、前記公報データの解析編集を前記一画面でするものである。【選択図】図1
2010097321.tif 000002
【特許請求の範囲】
【請求項１】
特許公報、実用新案公報等の公報データを閲覧、検索、解析編集する特許公報の解析編
集方法、及びその解析編集プログラム及びその媒体であって、
該特許公報の解析編集方法、解析編集プログラム及びその媒体は、外部データベースよ
りダウンロードした公報データを記憶する記憶手段と、
該公報データはインデックス情報、全文データにリンクを張るリンク手段と、
前記公報データの、書誌事項、テキスト本文、図面、分類付与欄を一画面に分割表示する画面表示手段と、
前記分類付与欄は該公報データから内容を抽出して記述できる分類付与手段と、
前記公報データを特定の検索キーで抽出検索する検索手段と、
前記公報データを複数ファイルに分割し、もしくは複数ファイルを統合するファイル分割統合手段と、
を備え、前記公報データの解析編集を前記一画面ですることを特徴とする特許公報の解
析編集方法、及びその解析編集プログラム及びその媒体。
【請求項２】
前記一画面は、公報データを編集操作するメニューを配列するツールバー部と、
書誌事項、テキスト本文、図面、分類付与欄を分割表示する分割表示部を設けている
ことを特徴とする請求項１記載の特許公報の解析編集方法、解析編集プログラム。
【請求項３】
前記ツールバー部には、公報番号を入力できる入力部と、発明の名称を表示する表示部とを設け、入力した該当公報に画面内容が移動することを特徴とする請求項2記載の特許公報の解析編集方法、解析編集プログラム。
【請求項４】
ツールバー部の編集操作メニューに、特定文字列を識別できるハイライト機能を有する、ハイライトボタンを設け、ハイライトボタンに該当公報のハイライトの個数を表示することを特徴とする請求項2記載の特許公報の解析編集方法、解析編集プログラム。
【請求項５】
前記公報データを特定の検索キーで抽出検索し、別ファイルに記憶保存することを特徴とする請求項１記載の特許公報の編集方法、公報の編集プログラム。
【請求項６】
前記公報データは、解析編集した後、外部に所定のレイアウトで、ファイル出力もしくは印刷出力できることを特徴とする請求項１記載の特許公報の解析編集方法、解析編集プログラム。
【請求項７】
前記公報データの印刷出力において、一公報を一枚に要約編集できることを特徴とする請求項6記載の特許公報の解析編集方法、解析編集プログラム。
【請求項８】
前記ダウンロードした公報データは、全データを適当に分割処理し、更に分割データを
再統合処理できることを特徴とする請求項１記載の特許公報の解析編集方法、解析編集プログラム。
【請求項９】
前記一画面の分類付与欄は、複数分類付与欄を設け、分類コード、文字列の入力ができ、該分類付与欄は、全件を一括入力、一括削除の機能、分類付与欄の画面拡大機能を有することを特徴とする請求項１記載の特許公報の解析編集方法、解析編集プログラム。
【発明の詳細な説明】
【技術分野】
【０００１】
本発明は、先行技術調査、抵触侵害等の特許調査において、関連する特許公報のデータを閲覧、抽出、分類付与等の公報解析編集を効率よく作業できる特許公報の解析編集方法に関する。
【背景技術】
【０００２】
特許調査においては、インターネット上、あるいはイントラネットから提供される商用データベースを利用している。先行文献調査、抵触調査、権利侵害調査等は、IPDL、
や前記商用データベースを利用してのいわゆるランク別けの特許調査である。
更に、調査対象に類似した公報の抽出においては、上位ランクの公報の精読作業を経て調査対象発明について、特許法上の新規性、進歩性に関する引用文献公報を抽出する。
このような特許調査の作業においては、ウェブサーバ、イントラネット等から特定技術分野に関連する特許公報等を一括ダウンロードして、個別PC（パソコン）に取得し後、更に公報データをオフラインで再度検索抽出作業を繰り返す場合がある。
【０００３】
利用する公報データには、特許公報、公開特許公報、公表特許公報、再公表特許公報、公
告特許公報、公告実用新案公報、実用新案登録公報、公表実用新案公報、再公表実用新案公報、公開実用新案公報等さまざまな名称で表記される公報がある。
公報データには、平成５年以降発行の全文デジタル化された電子化公報、それ以前の電子化前の紙公報のいわゆる遡及公報と言われるものが存在している。
【０００４】
公報データの閲覧は、日本国内においては、日本国特許庁が提供しているIPDL（特許電子
図書館）を始め、民間の特許情報会社の提供している商用データベースをインターネット経由で利用することができる。商用データベースでは、公報データの閲覧、検索抽出、抽出データのダウンロード等のサービスが提供されている。
また海外の公報データは各国特許庁の公報サービス、WIPO、もしくは、民間の情報提供会
社によって、それぞれ特許情報がインターネット等で提供されている。
【０００５】
ダウンロードした公報データはhtml、ｐｄｆ、ｃｓｖ形式のデータ構造となっている。
また取得する公報には電子化公報、電子化以前の紙公報（遡及公報データ）等が存在して
提供されている。
このような繰り返しの査読作業では、関連公報のランク別け、あるいは類似関連公報の分類欄に分類を付与、あるいは注釈を記入、サーチレポートの作成、あるいは類似関連公報を社内蓄積して、新製品開発等の基礎データとしている。
このような作業においては、該当公報を繰り返し閲覧、査読のサイクルが発生する。
【特許文献１】単語のクリック操作でリンクの張られていない単語をキーワードとして検索を実行し、  ハイパーテキストのボタンと同様のクリックされた単語から検索対象のページへ飛ぶ  ことができるようにすることにより、文書情報管理および文書検索における利便性の  向上を図っている。（特開2007-213608）
【特許文献２】また、検索のキーとなる分類符号の選択を支援し、ドキュメントの検索を容易にできるドキュメント検索装置を提供している。（特開2005-346486）
【発明の開示】
【発明が解決しようとする課題】
【０００６】
特許調査のかかる査読閲覧作業においては、一次検索で抽出した関連該当公報とサーチレポートを繰り返し画面表示させながらの作業となる。また、該当公報の内容精査においては、要約書のみで済む場合や本文の実施例まで精査する場合等さまざまなケースが発生する。
【０００７】
また、かかる場合に編集画面が複数あり、且つ該当公報の所望する書誌事項を表示する
ために複数の該当ファイル画面を幾つも捲ることになり作業が煩雑となる。また絞り込み
作業において該当文字列が識別表示されないと該当文字列を見落とすおそれがある。
【０００８】
本発明は上記に鑑みてなされたものであって、特許公報の閲覧査読作業において、公報
解析編集を一画面で迅速に作業できるようにした特許公報の解析編集方法を目的とする。
【課題を解決するための手段】
【０００９】
上述した課題を解決し、目的を達成するために、請求項１にかかる発明は、
特許公報、実用新案公報等の公報データを閲覧、検索、解析編集する特許公報の解析編集方法、解析編集プログラム及びその媒体であって、
該特許公報の解析編集方法、解析編集プログラム及びその媒体は、外部データベースよりダウンロードした公報データを記憶する記憶手段と、
該公報データは公報のインデックス情報、全文データにリンクを張るリンク手段と、前記公報データの、書誌事項、テキスト本文、図面、分類付与欄を一画面に分割表示する画面表示手段と、前記分類付与欄は該公報データから内容を抽出して記述できる分類付与手段と、前記公報データを特定の検索キーで抽出検索する検索手段とを備え、前記公報データの解析編集を前記一画面でするものである。
【００１０】
請求項2においては、
前記一画面は、公報データを編集操作するアイコンを配列するツールバー部と、
書誌事項、テキスト本文、図面、分類付与欄を分割表示する分割表示部を設けているものである。
【００１１】
請求項3においては、
前記ツールバー部には、公報番号を入力できる入力部と、発明の名称を表示する表示部とを設け、入力した該当公報に画面内容が移動することができる。
【００１２】
請求項４においては、
ツールバー部の編集操作アイコンに、特定文字列を識別できるハイライト機能を有する、ハイライトボタンを設け、ハイライトボタンに該当公報のハイライトの個数を表示することができる。
【００１３】
請求項５においては、
前記公報データを特定の検索キーで抽出検索し、別ファイルに記憶保存することができ
る。
【００１４】
請求項６においては、
前記公報データは、解析編集した後、外部に所定のレイアウトで、ファイル出力もしくは印刷出力できる。
【００１５】
請求項7においては、
前記公報データの印刷出力において、一公報を一枚に要約編集できるものである。
【００１６】
請求項８においては、
前記ダウンロードした公報データは、全データを適当に分割処理し、更に分割データを
再統合処理できるものである。
【００１７】
請求項９においては、
前記一画面の分類付与欄は、複数分類付与欄を設け、分類コード、文字列の入力ができ、該分類付与欄は、同一文字列が続く場合には、全件を一括入力、一括削除できる機能、
また、長文の入力の再に分類付与欄を画面拡大できる機能を有するものである。
【発明の効果】
【００１８】
公報データを記憶保存する記憶手段と、
公報データにリンクを張るリンク手段と、書誌事項、テキスト本文、図面、を一画面に分割表示する画面表示手段と、該公報データから内容を抽出して記述できる分類付与手段と、特定の検索キーで抽出検索する検索手段とを備えているので、前記公報データの解析編集を前記一画面ですることができ、迅速に特許調査ができる。また、公報データの解析編集をオフラインで繰り返し作業をすることができる。
【００１９】
また、前記一画面は、公報データ
を編集操作するメニューを配列するツールバー部と、書誌事項、テキスト本文、図面、分類付与欄を分割表示する分割表示部を設けているので、公報解析編集作業を一画面で迅速にすることができる。また、前記ツールバー部には、公報番号を入力できる入力部と、発明の名称を表示する表示部とを設け、入力した該当公報に画面内容が移動することができるので、査読編集作業を迅速に行うことができる。
【００２０】
また、特定文字列を識別できるハイライト機能を有する、ハイライトボタンを設け、ハイライトボタンに該当公報のハイライトの個数を表示することができるので、検索文字列がハイライト表示され見落とすおそれがなく、個数表示されるので画面捲りを予測することができる。
【００２１】
前記公報データを特定の検索キーで抽出検索し、別ファイルに記憶保存することができ
るので、公報データの解析編集作業を多面的に抽出することができる。また、前記公報
データは、解析編集した後、外部に所定のレイアウトで、ファイル出力もしくは印刷出
力できるので、抽出公報データを必要に応じた見やすい要約版とすることができる。
また、前記公報データの印刷出力において、一公報を一枚に要約編集できるので、枚数を圧縮でき、見やすい抽出公報の要約版とすることができる。
【００２２】
前記ダウンロードした公報データは、全データを適当に分割処理し、更に分割データを
再統合処理できるので、大量の公報の査読解析作業を複数人に割振り、作業完了後、再度統合処理ができ、効率の良い解析編集作業をすることができる。また、前記一画面の分類
付与欄は、複数分類付与欄を設け、分類コード、文字列の入力ができ、該分類付与欄は、同一の入力項目を一括入力、一括削除の機能、分類付与欄の画面拡大機能を有するので、分類付与の解析編集作業を迅速にすることができる。
【発明を実施するための最良の形態】
【００２３】
本発明の特許公報の解析編集方法、及びその解析編集プログラムは、CDROMディスクに収納されているシステムの解析編集プログラムをPC端末にインストールして利用することができる。画面指示に従い、インストーラの起動後、インストール内容の確認、インストール先のフォルダを指定して後、PC端末にインストール処理が実行される。
【００２４】
本発明は特許公報、実用新案公報等の公報データを閲覧、検索、解析編集の特許調査の作業を効率よくできる公報データの解析編集方法である。
特許公報データを提供している商用データベースは、一般的にウェブサーバで提供され、インターネット経由で提供されている。そのため公報データの閲覧、検索、解析編集は複数の許可されたID取得者が同時にアクセスしての利用となっている。
本発明を使用しての閲覧、検索、解析編集作業では、まず商用ＤＢから一次検索で抽出した公報データを本プログラムにダウンロードし、PC端末に記憶保存することができる。
【００２５】
商用データベースからダウンロードされる公報データは、HTML（Ｈｙｐｅｒ Ｔｅｘｔ
Ｍａｒｋｕｐ Ｌａｎｇｕａｇｅ）のテキスト文書形式、データをカンマや改行で
区切ったテキスト形式のＣＳＶ（Ｃｏｍｍａ  ｓｅｐａｒａｔｅｄ  ｖａｌｕｅ  ｆｏ
ｒｍａｔ）または、ＸＭＬ（ｅＸｔｅｎｓｉｂｌｅ
Ｍａｒｋｕｐ ｌａｎｇｕａｇｅ）等でなっている。平成５年以前（電子化以前の紙公報）である遡及公報で利用されるPDF（Ｐｏｒｔａｂｌｅ
Ｄｏｃｕｍｅｎｔ Ｆｏｒｍａｔ）の文書形式等のデータ構造がある。
【００２６】
本発明の解析編集プログラムは、いずれのデータ形式もPC端末、LANサーバ等のディス
ク、CD等の媒体に記憶保存される。以下本実施例では、本発明の公報解析編集プログラムでのデータ構造はHTML、PDF構造形式によって説明する。
【００２７】
本プログラムにダウンロードされた公報データ（HTML、PDF形式）は、本発明の公報解析編集プログラムを起動して各種処理メニューに基づいてデータ処理が行われる。
各種処理メニューには、リンク付登録データの作成、リンク付登録データの分割統合処理、登録データのエクセル出力等の処理メニューが設けられている。
【００２８】
ダウンロードされ、本システムに取得された公報データはファイル作成メニューにおいて
登録ファイルが作成される。登録ファイル作成においては、HTML全文公報、遡及公報で利用されるPDF公報にリンク付けがなされる。即ち、ダウンロードされたindex情報を基
本として全文データとリンクが張られた登録ファイルが作成される。
又、同一出願である公開公報と登録公報の重複処理ファイルの一元化処理がなされる。
【００２９】
「リンク付登録公報データの作成」という選択メニューをクリックすると、リンク付の登録データが作成される。ダウンロードされたHTML形式の全文データは、インデックス情
報に対応する全文データのそれぞれ該当ページへのリンクを張った「リンク付公報データ」に変換処理される。「INDEXDATA変換処理」の進捗表示の後、リンク付公報データは、PC端末内部の特定フォルダに特定の識別子をもって作成される。
【００３０】
遡及・PDF公報（電子化以前の公報）のリンク処理は、ファイル作成メニューの「インデックスデータの登録」で登録処理される。公報データに遡及データが存在する場合は、「遡及該当データ.txt」に公報番号の一覧表が作成されるので、その公報番号にて、再度データベースにて番号検索を行い PDF 公報のダウンロードを行うことになる。
【００３１】
「リンク付公報データ」は、PC端末内部の階層デレクトリの特定フォルダに作成される。
リンク付公報データは、インデックス情報、全文データとともに同一階層下の特定フォ
ルダ内に収納する。
【００３２】
インデックス情報はそれぞれリンク付のテキスト全文に対応して、検索を高速にして
いる。遡及データについては、別メニューでのマニュアル作業で、PDFデータのリンク
付け作業が行われる。
【００３３】
図1に示すように、公報閲覧、検索、解析編集はこの一画面10で作業ができるようになっている。一画面10の上部ヘダーには公報データを編集操作するメニューを配列するツールバー部11が表示されている。
【００３４】
一画面10の左側面には縦列に表示された番号公報の書誌表示部12が設けられている。
画面に表示されている公報の出願番号、出願日、公開番号、公開日、登録番号、登録日、
等が項目表示され、出願人、IPC、ＦＩ等が別枠で表示され、本文欄がスクロールされても常に固定的に表示されるようになっている。
【００３５】
一画面10の画面分割された中央部分には、本文表示部13が設けられ、公報データのテキスト本文、図面等が表示できるようになっている。本文表示部13の上部には、公報データの書誌事項が配列され、配列された書誌事項をクリックするとリンクが張られた詳細ページにジャンプできるようになっている。
【００３６】
また、本文表示部13の右端にはスクロールできるカーソルが設けられ、順次行送りできるようになっている。
【００３７】
又、本文表示部13の書誌事項の図面アイコンをクリックすると本分表示部13は更に縦
列に分割され、テキスト本文と図面表示部のわかれるようになっている。図面表示部には、図面番号が配列され、クリック操作で代表図、全図が順次表示され、または全図が一括表示できるようになっている。
【００３８】
ツールバー部11には、一列目にファイル、編集、表示のウインドウＯＳの一般メニューが表示され、二列目には、図1のレコード拡大部、ボタン拡大部に示す操作アイコンが配列されている。
レコード拡大部は公報データの全レコード件数表示と表示該当レコード数とを表示できるようになっている。右側の表示は全レコード数、即ち登録ファイルの全件数を表示している。左側の数値は現在表示されているレコード番号を示している。
【００３９】
図1のボタン拡大部は、ツールバー部11の配列された操作アイコンを示している。「先頭」、「最後」の表示アイコンはクリックで先頭レコード、最後のレコードへのジャンプできるようになっている。
「前へ」は直前のレコードへ、「次へ」は次の公報へと移動できるようになっている。
【００４０】
「追加」の表示アイコンは公報データが追加できるようになっている。「削除」は公報データを削除できるようになっている。
ツールバー部11には、特定文字列を識別できるハイライト機能を有する、ハイライトボ
タンが設けれ、このハイライトボタンには該当公報のハイライトの個数を表示できるよ
うになっている。個数が表示されるので、表示公報の閲覧査読前に該当キーワードの多
少を予測することができる。
【００４１】
「ハイ」のアイコンは、指定文字列のハイライト表示を表している。ハイライトがある場合には「ハイ」の表示の代わりにハイライト文字列の出現個数が表示できるようになっている。このアイコンをクリックすると、公報のハイライト指示画面が表示され指示された文字をハイライト表示させる。ハイライト色は１０色選択することができる。色選択は基本色、作成色を設定でき、選択色を保存することもできる。
【００４２】
「並替」の表示アイコンは公報データの配列順を並べ替えできるようになっている。このアイコンをクリックすると指定した公報項目で並べ替えて表示します。
並べ替え項目には、出願番号、出願日、公開番号、公開日、登録番号、登録日、出願人、発明者、代理人等を選択することができ、並べ順では昇順、降順を選択できる。
【００４３】
本発明の特許公報解析編集プログラムでは、前記公報データを特定の検索キーで抽出検索する検索手段が設けられている。検索項目は書誌事項（発明の名称、出願人、発明者、
等）特許分類、キーワード、分類項目等が利用できる。検索論理式は、ＯＲ、ＡＮＤ
の論理演算、キーワードの前方一致、後方一致等の検索演算ができ、公報データを絞り込みの抽出作業をすることができる。検索論理式のAND、OR、の比較条件では、「*」の記号で文字列の前方、後方一致で検索できる。任意の数の文字と一致「*」の他任意の１文字と一致「？」、角かっこ内の文字以外と一致「！」等WildCardの指示ができる。
抽出した公報は別ファイルとして名称を変えて保存することができる。このように検索抽出を多面的に解析編集することができる。
【００４４】
「検索」の表示アイコンは、書誌事項、特許分類、分類付与欄等での検索抽出のアイコンを表示しています。このアイコンをクリックすると検索条件を選択するダイアログ画面が表示される。検索項目は書誌事項、分類付与1〜30から検索項目を指定することができる。
【００４５】
「GOT」の表示アイコンは、指定した公報番号のレコードに移動できるようになっている。このアイコンをクリックすると指定した番号を入力するダイアログ画面が表示され、指定された出願番号、公開番号、登録番号にジャンプ移動できるようになっている。
【００４６】
「公開」のアイコンをクリックすると、公開公報が選択表示されます。公開公報と登録公報が同一レコードにある場合には、公開公報が優先表示されます。
【００４７】
「登録」のアイコンをクリックすると、登録公報が表示されます。公開公報と登録公報
が同一レコードに存在する場合にどちらを表示させるか選択する必要があるか
らです。
【００４８】
「ＰＤＦ」のアイコンをクリックするとPDF公報が表示されます。HTML公報とPDF
公報が同一レコードに記録されているので、どちらかを選択する必要があるからです。
但し、PDF公報がなくHTML公報のみの場合は、「ＰＤＦ」アイコンはグレー色の表示
となります。
【００４９】
「書誌」のアイコンをクリックすると、公報データの書誌事項が表示されます。
「Ftm」のアイコンをクリックすると、公報データのFタームが表示され、Fターム
の表示がない場合にはグレー色の表示となります。
「要約」のアイコンをクリックすると、公報データの要約が表示されます。
【００５０】
更に、「請求」のアイコンは請求項が、「詳細」のアイコンは、詳細な説明」が、「分野」
のアイコンは「産業上の利用分野」が、「技術」のアイコンは、従来技術、「課題」のアイコンは課題、「手段」のアイコンは手段が、「実施」のアイコンは実施例が、「効果」のアイコンは発明の効果が、「全図」のアイコンは公報の全文と全図が表示されます。
【００５１】
そして図1の画面１０の右端は分類付与部14が設けられている。分類付与部14は、分類付与欄が1〜30個設けられ、公報を閲覧しながら、分類分け、又は、特記すべきコメント等の注釈を入力できるようになっている。分類付与欄は公報の解析編集結果を効率よく調査整理できるようになっている。
【００５２】
更に、図1の画面１０の分類付与部14の付与欄は、該公報データから内容を抽出して記述できる。また、分類付与欄では、同一分類の場合に全件を一括入力する機能、または、一括で該当項目を削除する機能が設けられている。分類付与時の入力作業を簡素化できるようになっている。又、分類付与欄の画面拡大機能もあり注釈の入力をし易くしている。
【００５３】
リンク付登録データの分割統合処理では、前記公報データを複数ファイルに分割し、もしくは複数ファイルを統合することができる。ダウンロードされた公報データが大量の公報である場合、閲覧査読作業が複数のPC端末でなされる。
【００５４】
そのときには、このメニューで分割ファイルの作成処理が行われる。分割対象のデータベースの名称を選択して、分割指示画面で分割数を指示すると分割処理の進捗画面が表示される。対象データベースの名称に分割1、分割2.・・等の分割ファイルが同一階層のディレクトリ下に作成される。このようにして、公報データを複数ファイルに分割処理される。
【００５５】
前記公報データは、解析編集した後、外部に所定のレイアウトで、ファイル出力もしくは印刷出力することができる。
前記公報データの印刷出力において、一公報を一枚に要約して編集することが。解析編集をＡ４枚に要約でき、見やすく編集することができる。
【００５６】
ファイル作成メニューには、更に「エクセルへの出力」というメニューが設けられている。このエクセル出力メニューには、固定項目の出力、選択項目の出力がある。固定項目は予め項目を標準的に設定してあり、自動的に出力でき、選択項目は出力の都度項目を選択できるようになっている。
【００５７】
ダウンロードされた全文データは特定のフォルダに登録保存される。そして、リンク
の張られた登録ファイル、エクセル出力ファイル、テキスト作成ファイルは同一の特定
フォルダ内に保存されている。
【００５８】
ファイル作成メニューにある公報データの分割処理では、登録ファイルを複数に分割す
ることができる。分割対象となる登録ファイルを選択呼び出して、分割数の指示画面に
て、分割数を入力する。対象ファイルよりエクセル変換処理の進捗画面が終了すると、
分割DB初期データ作成のメッセージが表示されて完了する。
分割結果の登録ファイルが元の特定のフォルダーと同じ場所に「分割件数表.txt」のテキストファイルが作成される。（分割1、分割2、分割3・・・）
【００５９】
分割されたファイルは、作成ファイルのメニューで「分割ファイルの統合処理」で再度統合処理することができる。リンク付登録データの分割統合処理では、複数ファイルを統合することができる。
統合処理のメニューをクリックすると同一ディリクトリ下の分割1、分割2、・・の対象ファイルをすべて選択すると、データ統合の進捗メッセージが表示される。
統合処理が終了すると、確認ダイアログ「データベース統合データ作成終了」が表示され統合処理は完了する。
【００６０】
ファイル作成メニューには、エクセルへの出力メニューがあり、エクセル形式でのフ
ァイル出力を固定項目、選択項目ですることができる。
「エクセルへの出力」の「固定項目の出力」をクリックして対象の登録ファイルを検索
する。指定の登録ファイルを選択して、進捗状況が表示されて後閲覧用エクセル保存の
メッセージの後、元のフォルダと同一内にファイル名称を付けて保存終了する。
【００６１】
エクセル形式での出力される固定項目は、出願番号、公開番号、登録番号、公開FDF、登録PDF、発明の名称、出願人、審査・権利状況、分類1〜30の項目を設定することができる。
【００６２】
選択項目のエクセル形式への出力は、「エクセルへの出力」の「選択項目の出力」をメニ
ューをクリックして対象のファイルを選択する。エクセル出力項目の選択画面が表示さ
れる。この画面で出力する項目ボタンにチェックをいれる。出願番号、出願日、公開番
号、公開日・・等の書誌事項から分類1〜30が選択することができる。
【図面の簡単な説明】
【００６３】
【図１】特許公報データの閲覧・解析・編集をする一画面である。
【符号の説明】
【００６４】
１０  一画面
１１  ツールバー部
１２  書誌表示部 
１３  本文表示部  
１４  分類付与部
【図１】
2010097321.tif 000003